(57)【要約】【課題】短時間で、且つ組み立て後は全部材が強固に一体化し、下地の不陸や勾配にかかわらず、フラットでがたつき・騒音がでないバルコニー用のデッキを提供する。【解決手段】複数枚の床板パネル２を連結材１によって一体化してデッキ単体Ａ，Ｂ，Ｃとし、各デッキ単体には、隣接配置した状態において、互いに上下に重合する部分を設け、該重合する部分により、デッキ単体は隣接配置したデッキ単体と一体化する。そのために、連結材１を２分割すると共に、分割されたそれぞれの連結材１に床板パネル２を裏ビス３によって装着してデッキ単体する。デッキ単体の連結材１の少なくとも一端部は、隣接する連結材１に装着された床板パネル２に装着可能とする。【選択図】  図１
2004176282.tif 000002
【特許請求の範囲】
【請求項１】
複数枚の床板パネル２を連結材１によって一体化してデッキ単体とし、該デッキ単体には、隣接配置した状態において、互いに上下に重合する部分を設け、該重合する部分により、該デッキ単体は隣接配置したデッキ単体と一体化することを特徴とするバルコニー用のデッキ。
【請求項２】
複数枚の床板パネル２を連結材１によって一体化してバルコニー用のデッキとするに当たって、上記連結材１を複数本に分割すると共に、分割されたそれぞれの連結材１に床板パネル２をビス３によって装着してデッキ単体とし、更に、該デッキ単体の連結材１の少なくとも一端部は、隣接する連結材１に装着された床板パネル２に装着可能とすることを特徴とするバルコニー用のデッキ。
【請求項３】
上記連結材１の一端部及び隣接する連結材１に装着された床板パネル２には、連結状態で連通するビス孔２ｂがそれぞれ予め穿設されていることを特徴とする請求項１又は請求項２記載のバルコニー用のデッキ。
【請求項４】
デッキ単体を形成するに当たって、連結材１に床板パネル２を連結材１側からのビス３によって装着することを特徴とする請求項１〜３記載のいずれかのバルコニー用のデッキ。
【請求項５】
複数のデッキ単体を一体化するに当たっては、バルコニー床部６に配置される根太４に、上記ビス孔を介して取り付けられることを特徴とする請求項１〜４記載のいずれかのバルコニー用のデッキ。
【請求項６】
上記根太４は、上記デッキ単体により一体的に連結されることを特徴とする請求項１〜５記載のいずれかのバルコニー用のデッキ。
【発明の詳細な説明】
【０００１】
【発明の属する技術分野】
本発明は、建物のベランダ、バルコニー等に敷設されるデッキに関する。
【０００２】
【従来の技術】
建物のベランダ、バルコニー等に敷設されるデッキは下記特許文献１に記載のように公知である。該特許文献１には、複数枚の上板と、下板とから構成し、高さ調整具によってデッキパネルを水平に調整可能とする発明が記載されている。
【０００３】
【特許文献１】
特開平１１−９３３７８号公報
【０００４】
【発明が解決しようとする課題】
しかしながら、上記従来技術は、下板が長尺であるばかりでなく、各ベランダの形状、高さ、傾斜等が微妙に相違することから予めデッキとして形成したものを現場のベランダに持ち込むことができず、したがって現場作業が必須であった。
ところが、現場のベランダは狭く、しかも、その床面の敷設工事であることから、作業性が悪く、また、大工或いは指物等の技能作業であることから、そのコストが高くなるという問題もあった。
【０００５】
したがって、本発明の課題は上記従来技術の問題点を解決することにあり、ベランダ、バルコニーのデッキを床板・連結材・根太・高さ調整具を使用し短時間で、且つ、組み立て後は全部材が強固に一体化し、下地の不陸や勾配にかかわらず、フラットでがたつきや作業時の騒音がでないバルコニー用のデッキを提供することにある。また、更なる課題は、パネル化と、工場での事前の穴あけ、切り込みをすることで、組立性を向上させて、現場での作業を簡略化し、近隣への迷惑を最小限とすることができるバルコニー用のデッキを提供することにある。
【０００６】
【課題を解決するための手段】
上記課題を解決するために、本発明は下記の手段を採用した。
即ち、請求項１記載のバルコニー用のデッキは、複数枚の床板パネル２を連結材１によって一体化してデッキ単体とし、該デッキ単体には、隣接配置した状態において、互いに上下に重合する部分を設け、該重合する部分により、該デッキ単体は隣接配置したデッキ単体と一体化することを特徴とする。
請求項２記載のバルコニー用のデッキは、複数枚の床板パネル２を連結材１によって一体化してバルコニー用のデッキとするに当たって、上記連結材１を複数本に分割すると共に、分割されたそれぞれの連結材１に床板パネル２をビス３によって装着してデッキ単体とし、更に、該デッキ単体の連結材１の少なくとも一端部は、隣接する連結材１に装着された床板パネル２に装着可能とすることを特徴とする。
【０００７】
請求項３記載のバルコニー用のデッキは、上記いずれかの手段において、上記連結材１の一端部及び隣接する連結材１に装着された床板パネル２には、連結状態で連通するビス孔２ｂがそれぞれ予め穿設されていることを特徴とする。
請求項４記載のバルコニー用のデッキは、上記いずれかの手段において、デッキ単体を形成するに当たって、連結材１に床板パネル２を連結材１側からビス３によって装着することを特徴とする。
【０００８】
請求項５記載のバルコニー用のデッキは、上記いずれかの手段において、複数のデッキ単体を一体化するに当たっては、バルコニー床部６に配置される根太４に、上記ビス孔を介して取り付けられることを特徴とする。
請求項６記載のバルコニー用のデッキは、上記いずれかの手段において、上記根太４は、上記デッキ単体により一体的に連結されることを特徴とする。
【０００９】
【発明の実施の形態】
以下、本発明の実施の形態について説明する。図１は実施の形態に係るデッキの一体化前の正面図、図２は同デッキの一体化後の正面図、図３は同デッキの一体化前の平面図、図４は同デッキの一体化後の正面図、そして、図５は同デッキの一体化後の側面図である。
【００１０】
（デッキ）
本実施の形態においては、デッキは、一端側デッキ単体Ａ、中間用デッキ単体Ｂ及び、他端側デッキ単体Ｃ、９本（３本×３）の連結材１、１２個（４個×３）の高さ調整具５、１２本（４本×３）の表ビス３ａ、及び、４２本（１４本×３）の裏ビス３ｂとからなる。
【００１１】
（一端側デッキ単体Ａ）
図１（Ａ）及び図３（Ａ）に示すように、所定間隔に並行に配置された３本の所定長さの連結材１に、直角に３枚の床板パネル２が裏（連結材１側から）ビス３ｂによりビス止めされる。また、各連結材１の一端側は床板パネル２は装着されず突出部１ａとなり、ビス孔１ｂが穿設される。また、連結材１の他端側及び該連結材１の他端側の床板パネル２にもビス孔１ｂと連通するビス孔２ｂが穿設される。
【００１２】
（中間用デッキ単体Ｂ）
図１（Ｂ）及び図３（Ｂ）に示すように、所定間隔に並行に配置された３本の所定長さの連結材１に、直角に３枚の床板パネル２が裏（連結材１側から）ビス３ｂによりビス止めされる。また、各連結材１の一端側は床板パネル２は装着されず突出部１ａとなり、ビス孔１ｂが穿設される。また、連結材１の他端側の床板パネル２の端部は連結材１の他端を超えて配置される（突出部２ａ）。そして、この連結材１の他端を超えて配置された床板パネル２部分にはビス孔２ｂが穿設される。
【００１３】
（他端側デッキ単体Ｃ）
図１（Ｃ）及び図３（Ｃ）に示すように、所定間隔に並行に配置された３本の所定長さの連結材１に、直角に３枚の床板パネル２が裏（連結材１側から）ビス３ｂによりビス止めされる。また、各連結材１の他端側の床板パネル２には連結材１が配置されず、ビス孔２ｂが穿設される。また、連結材１の一端側のビス孔１ｂと連通して床板パネル２にもビス孔２ｂが穿設される。
【００１４】
（根太４）
根太４は所定長さで、図５に示すように断面正方形状の棒状体であり、運搬・搬入を考慮し２ｍ前後の長さに分割製作し、その両端部に冶具穴４ｃが上下に貫通して穿設されている。
【００１５】
（高さ調整具５）
高さ調整具５は、平面視円盤状のスタンド部５ａと、上下に棒状のネジ部５ｂと、ネジ部５ｂに螺合して上下に移動・調整可能な支え部５ｃと、からなる。そして、この高さ調整具５を用いて、支え部５ｃを回転させながら、デッキ単体を水平に配置することになる。
【００１６】
（現場作業）
ベランダの出幅に合わせた長さの床板パネル２を上記のように複数枚の連結材１を用いて予め製造されている一端側デッキ単体Ａ、中間用デッキ単体Ｂ・他端側デッキ単体Ｃを所定の間口にあわせて裏ビス３ｂで止めて製作する。
【００１７】
据付現場、即ち、バルコニー床部６にて、高さ調整具５を必要高さして根太４に一端側デッキ単体Ａ・中間用デッキ単体Ｂ・他端側デッキ単体Ｃを配置し、その後、図２及び図４に示すように、ビス孔２ｂ、又は、ビス孔２ｂ，１ｂに表ビス３ａを挿入して、固定する。この場合、中間用デッキ単体Ｂにより、直線状に配置された２本の根太４は一体に連結される。なお、２本の根太４の根太継手部４ａ間には、図２に示すように、ある程度の根太間隙間４ｂを形成させることが一体化後のデッキの柔軟性の観点から好ましい。なお、中間用デッキ単体Ｂは、一つに限らず、必要なデッキの長さに応じて、２つ以上用いてもよい。
【００１８】
上記特許請求の範囲に記載において、図面との対応関係をわかりやすくするために、各構成要素に図面符号を付したが、本発明はこれに限るものではない。
【００１９】
【発明の効果】
上記発明により、ベランダ、バルコニーのデッキを床板・連結材・根太・高さ調整具を使用し短時間で、且つ組み立て後は全部材が強固に一体化し、下地の不陸や勾配にかかわらず、フラットでがたつき・騒音がでないバルコニー用のデッキを提供することにある。
【００２０】
また、パネル化と、工場での事前の穴あけ、切り込みをすることで、組立性を向上させて現場での作業を簡略化し、近隣への迷惑を最小限とすることができる。更に、本発明では、組立ばかりでなくデッキの分解も容易であることから、ベランダ、バルコニーの修繕、塗装、改修等メンテナンスも容易になり、デッキの再利用も可能になる。
【図面の簡単な説明】
【図１】実施の形態に係るデッキの一体化前の正面図で、一端側デッキ単体（Ａ）、中間用デッキ単体（Ｂ）及び他端側デッキ単体（Ｃ）を示す。
【図２】同デッキの一体化後の正面図。
【図３】同デッキの一体化前の平面図で、一端側デッキ単体（Ａ）、中間用デッキ単体（Ｂ）及び他端側デッキ単体（Ｃ）を示す。
【図４】同デッキの一体化後の正面図。
【図５】同デッキの一体化後の側面図。
【符号の説明】
Ａ・・一端側デッキ単体（デッキ単体）
Ｂ・・中間用デッキ単体（デッキ単体）
Ｃ・・他端側デッキ単体（デッキ単体）
１・・連結材            １ａ・・突出部      １ｂ・・ビス孔
２・・床板パネル        ２ａ・・突出部      ２ｂ・・ビス孔
３・・ビス              ３ａ・・表ビス      ３ｂ・・裏ビス
４・・根太  ４ａ・・根太継手部  ４ｂ・・根太間隙間    ４ｃ・・冶具穴
５・・高さ調整具
５ａ・・スタンド部  ５ｂ・・ネジ部          ５ｃ・・支え部
６・・バルコニー床部
【図１】
2004176282.tif 000003
【図２】
2004176282.tif 000004
【図３】
2004176282.tif 000005
【図４】
2004176282.tif 000006
【図５】
2004176282.tif 000007